(57)【要約】【課題】構造が極めて簡単であって使用時の設置も極めて簡便でし易く、介護行為の負担を軽減して容易に介護が行なえるようにした介護用マットを提供する。【解決手段】  平面状態または立体状態へと形態を変えることが可能な気密性を有する袋体２ａから構成されたマット本体２の下面に、保形性を有する保形基板３を設置することにより介護用マット１とする。介護用マット１を、被載置体である被介護者の身体の下に差し入れ、袋体２ａ内へ空気などの流体を充満して膨張させ、マット本体２を平面状態から立体状態へ形態を変えることにより、マット本体２の上面に載置された被介護者の身体の一部を押し上げ、被介護者の身体の下に空間部を形成させる。この空間部に手や介護用品を挿入し、介護行為を簡単かつ確実に手際よく行う。【選択図】図１
2007029414.tif 000002
【特許請求の範囲】
【請求項１】
流体の充満により平面状態から立体状態へ膨張することにより被載置体を上下動させることが可能な気密性を有する袋体からなるマット本体と、このマット本体の下面に設置された保形基板とからなることを特徴とする介護用マット。
【請求項２】
マット本体は、平面Ｕ字形に構成されていることを特徴とする請求項１記載の介護用マット。
【請求項３】
マット本体は、複数の袋体により構成され、隣接する袋体同士が干渉し合わないで独立して膨張または収縮するものであることを特徴とする請求項１または２記載の介護用マット。
【請求項４】
保形基板は、マット本体から取り外し自在であることを特徴とする請求項１から３のいずれか１項に記載の介護用マット。
【請求項５】
マット本体の上面に、被載置体との滑りを良くする摩擦抵抗の低い素材が取り付けられている請求項１記載の介護用マット。
【発明の詳細な説明】
【技術分野】
【０００１】
本発明は、病院や福祉施設、家庭等において、寝たきりの被介護者のオムツ交換や姿勢変更といった介護行為の負担を軽減し、容易に介護が行なえるようにした介護用マットに関するものである。
【背景技術】
【０００２】
病院や福祉施設、家庭等において、自分で歩行したり、寝返りしたりすることが困難な寝たきりの被介護者に対しては、オムツ交換や、床ずれ防止のための姿勢変更といった介護行為が必要である。
ところが、寝たきりの被介護者の身体は重く、前述のような介護行為を行なうためには前記被介護者の身体をその場で持ち上げたりしなければならず、一人の介護者では困難な場合が多い。しかも、このような介護行為は日常的な作業であり、作業時の無理な姿勢が介護者の腰痛等の原因となっている。
【０００３】
そこで、介護行為に対する介護者の負担を軽減し、被介護者に対する介護を容易にした手段が幾つかある。たとえば、寝たきり老人及び病人等をベッドの上で臥寝させたままの状態で、排便介助及び局部等の洗浄を容易に行うことが出来る介助用具として、腰部分を余裕もって収容できる大きさに形成された枠体部と、該枠体部の一辺側が複数のチューブ状体を併設して背骨部保持用に形成されると共に、該枠体部の囲繞部分の底面が柔軟な防水シートで密閉され、さらに前記枠体部の内側に給排気口を有し気密性のある柔軟なチューブ状体であって、臀部を載置できる大きさに形成されたエアークッション状の便座部を内設した構造をしているものが提案されている（特許文献１参照）。
【０００４】
しかしながら、上記介助用具は、確かに介護行為に対する介護者の負担が軽減されるかもしれないが、構造が複雑で、使用するのに手間や時間の掛かる大掛かりなものであり、必要な時に簡単に設置して使用することができず、作業が却って煩わしいものと感じられてしまうものである。
また、最近では老齢化社会が進行し、老人が老人を介護するという老老介護が珍しくない状況であるにもかかわらず、このような介護行為に対する介護者の負担の軽減に配慮されたものが少なく、その早急なる解決策が望まれていた。
【特許文献１】実開平５−９１６５１号公報
【発明の開示】
【発明が解決しようとする課題】
【０００５】
本発明はこのような従来技術の問題点を解消するためになされたもので、構造が極めて簡単であって使用時の設置も極めて簡便で使い易く、介護行為の負担を軽減して容易に介護が行なえるようにした介護用マットを提供することを目的とする。
【課題を解決するための手段】
【０００６】
本発明は、流体の充満により平面状態から立体状態へ膨張することにより被載置体を上下動させることが可能な気密性を有する袋体からなるマット本体と、このマット本体の下面に設置された保形基板を具備すること特徴とする。
被載置体とは、オムツ交換や姿勢変更といった介護行為が必要な被介護者の身体の一部であって、前記マット本体の上部に載置される被介護者の身体をいう。
マット本体は、流体の充満により膨張する気密性を有する袋体で構成されている。
マット本体は平面棒状体とし、これを被介護者の身体の下に平行に二本配置することにより、両マット本体間に空間部を形成して介護作業を行なうようにしても良いが、平面Ｕ字形に構成してもよい。
マット本体は複数の袋体により構成され、隣接する袋体同士が干渉し合わないで独立して膨張または収縮するものとしてもよい。
マット本体の下面に設置される保形基板は、前記マット本体から取り外し自在であるものとしてもよい。
マット本体の上面に、被載置体との滑りを良くする低摩擦材を取り付けるとよい。
【発明の効果】
【０００７】
本発明は、膨張しまた収縮することにより被載置体を上下動させることが可能なマット本体と、マット本体の下面に設置された保形基板を具備しているので、マット本体を収縮した扁平の平面状態から立体状態とすることにより、マット本体の上面が高さ方向に隆起し、マット本体の上部に載置された被載置体である被介護者の身体の一部を押し上げ、寝床面から浮揚させることができる。身体の一部が寝床面から浮揚することで形成された空間部内に、手やオムツ等の介護用品を挿入し、介護行為を簡単かつ確実に手際よく行うことができる。一方、マット本体を、膨張した立体状態から平面状態とすることにより、マット本体の上部が沈下し、押し上げられていた被載置体の一部を降下させ、寝床面に着地させることができる。したがって、本発明にかかる介護用マットは、介護行為が必要な時だけ設置し、それ以外のときは除去しておくことができる。
【０００８】
このように、本発明の介護用マットは、構造が極めて簡単であり、使用時の設置も簡単であり、寝たきりの被介護者のオムツ交換や体位変更といった介護行為の負担を軽減することができる。
また、マット本体の下面に保形基板を設置しているので、マット本体が柔軟な素材からなるものであっても、被載置体である被介護者の身体の下に差し入れ、また引き出す作業を容易に行なうことができる。
【０００９】
マット本体は、流体の充満により膨張する気密性を有する袋体で構成しているので、空気などの流体を袋体内に送り込み、また、流体を袋体内から排出することで、極めて簡単に、緩やかな上下動を行なうことができる。しかも、流体を例えば温風とすることにより、マット本体を加温することもできる。
【００１０】
マット本体を平面Ｕ字形に構成したものとすると、平面棒状をした介護用マットを平行に二本配置した場合のように、介護用マットが無闇に位置ずれしてしまう虞が無く一定の形状を保持し、一部に開口部を有すると共に周囲がマット本体で囲まれた空間部が確実に形成される。したがって、前記開口部から空間部に手や介護用品を挿入し、介護行為を簡単かつ確実に手際よく行うことができる。
【００１１】
マット本体を複数の袋体により構成し、隣接する袋体同士が干渉し合わないで独立して膨張または収縮するものとすると、一個あたりの袋体の大きさが小さいものとなり、一つの袋体に対して流体を充填する作業が容易に行なうことができると共に、必要な箇所だけ独立して上下動を行うことができる。
【００１２】
マット本体の下面に設置される保形基板をマット本体から取り外し自在とすると、マット本体を使用するときだけ保形基板を取り付ければよく、介護用マットを使用しないときは、保形基板を取り外すことによって、マット本体を小さく折り畳んで収容しておくこともできる。
マット本体の上面に、被載置体との滑りを良くする低摩擦材、例えば滑りやすい布を取り付けておけば、被介護者の下によりスムーズにマット本体を挿入することができる。
【発明を実施するための最良の形態】
【００１３】
以下、図面を参照しながら、本発明の一実施形態について説明する。
図１は、本発明の介護用マットの一例を示す斜視図であり、図１（Ａ）は、使用前又は使用後の平面状態を示し、図１（Ｂ）は、使用中の立体状態を示すものである。なお、図１（Ａ）では、介護用マットが平面状というよりやや立体感を有したものとなっているが、これは介護用マットの構造を説明するために保形基板を厚くして示したのであって、実際はもっと平面状となるものである。
図１に示すように、本実施形態の介護用マット１は、マット本体２と、このマット本体２の下面に設置された保形基板３とからなる。
【００１４】
マット本体２は、本実施形態の場合、流体の充満により膨張する気密性を有する袋体２ａから構成され、平面状態または立体状態へと形態を変えることにより、マット本体２の上面に載置された被載置体を上下動させることが可能となっている。すなわち、マット本体２は、袋体２ａ内から流体を抜いたときは扁平な帯状となり、袋体２ａ内へ流体を充填したときは隆起した筒状となるように形成されている。マット本体２を構成する袋体２ａ内へ充填する流体としては、たとえば、空気や液体、ゲル体等が挙げられるが、手軽に取り扱うことができる空気が最も適している。
マット本体２は、本実施形態の場合、細長い長方形状をしており、長さ方向一端部には、前記袋体２ａ内へ空気を供給し、または前記袋体２ａから空気を排出するノズル４が設けられている。ノズル４には、図示されないパイプを介して例えば足踏み式のポンプあるいは電動式のポンプがつながれる。
【００１５】
袋体２ａは、たとえば、ナイロン等の伸弾性の小さい材料により形成されている。これにより、流体の充填圧や、被載置体の重み圧に抗して変形せず、所定の立体的状態を維持することができるものとなる。
袋体２ａは、伸弾性の小さい材料に限らず、塩化ビニル、ウレタンゴム等の弾性のある材料で形成され、膨張したときに風船のように過膨張となるのを防ぐためにシート材料の表面または内部に芯となる繊維をラミネートまたはサンドイッチすることにより伸弾性を小さくした構成としてもよい。
【００１６】
この袋体２ａの外面は、前記袋体２ａの膨張に伴う被載置体への当たりを緩衝する、例えば、不織布又はポリエステルやポリプロピレン、アクリル繊維等の合成繊維からなるフェルトからなるクッション材を被覆すると良い。
また、袋体２ａの上面に、摩擦抵抗の低い、たとえば、ポリエチレン系樹脂やポリフェニレンサルファイド樹脂、フッ素系樹脂等の滑りやすい素材、摩擦抵抗の低い布などを取り付けるとよい。このように構成すると、袋体２ａの上面が滑り易く、介護用マット１の被載置体の下への挿入または被載置体の下からの引き出しが容易になる。摩擦抵抗の低い素材は、面ファスナー、スライドファスナー等によって袋体２ａの外面に着脱自在にするとよい。こうすることによって、摩擦抵抗の低い素材は、上記クッション材が被覆された上から取り付けることができ、汚れた際に取り外して洗濯することが可能となる。
【００１７】
本実施形態のマット本体２は、流体が空気であれば、図３に示すように、マット本体２を仰臥状態の被介護者の下に差し入れ、空気供給装置Ｐからの空気の供給によってマット本体２を構成する袋体２ａを膨張させる。このマット本体２の膨張力によって仰臥状態の被介護者の身体の一部を押し上げ、オムツ交換や体位変更といった介護行為の補助を行なうことができる。介護作業終了後は、ノズル４より空気を排出してマット本体２（すなわち、袋体２ａ）を扁平状に収縮させる。
【００１８】
保形基板３は、薄厚板状のベース部材よりなり、たとえば、塩化ビニルやポリプロピレン、ＡＢＳ樹脂等の硬質合成樹脂や金属等の硬質部材により形成され、マット本体２の下面に固定されるものである。本実施形態では、マット本体２の下面に保形基板３を収容するための袋状の収容部５が設けられ、該収容部５内に保形基板３を収容することで、マット本体２の下面に保形基板３を固定している。したがって、本実施形態の場合、保形基板３は、前記マット本体２から取り外し自在なものとなっている。
【００１９】
袋体２ａに供給する空気はヒータによって加熱してもよい。例えば、ヒータを具備する温風発生装置から袋体２ａに温風を送入するようにしてもよい。これにより、冬場など寒い時に、腰部や臀部、脚部を暖めながら介護行為を行なうことが可能となる。
上記温風発生装置に代えて、袋体２ａの上面に電気的なヒータを設置してもよい。この電気的なヒータは、前記摩擦抵抗の低い素材に組み込んでもよい。
【００２０】
以上のように構成された介護用マットは、次のようにして用いる。
まず、マット本体２の下面に保形基板３を設置する。次いで、図７（Ａ）に示すように、収縮した扁平の平面状態の介護用マット１Ａを、たとえば、被載置体である被介護者Ｍの肩部、腰部、及び脚部の下に、保形基板３の剛性を利用して差し入れる。マット本体２を構成する袋体２ａの上面が摩擦抵抗の低い素材からなることによって、保形基板３の剛性とあいまって、マット本体２を容易に被介護者の下に差し込むことができる。次に、図７（Ｂ）に示すように、介護用マット１Ａの袋体２ａ内へ空気を供給して、介護用マット１Ａを収縮した扁平の平面状態から膨張した立体状態の介護用マット１Ｂとする。これにより、被介護者Ｍの肩部、腰部、及び脚部は、介護用マット１Ｂの空気圧によって押し上げられて寝床面５０から浮揚し、膨張した介護用マット１Ｂによって支えられた被介護者Ｍの身体の下に空間１０が形成される。この空間１０に手や介護用品を挿入することで、介護行為の負担を軽減し、介護行為を簡単かつ確実に手際よく行うことができる。
介護行為が終了すると、膨張した介護用マット１Ｂから空気を排出して扁平の平面状態に収縮させる。そうすると、介護用マット１Ｂによって押し上げられていた被介護者Ｍの肩部、腰部、及び脚部は引き下げられ、寝床面５０に着地する。その後、被介護者Ｍの肩部、腰部、及び脚部の下に差し入れた介護用マット１Ａを引き出す。
【００２１】
上記実施形態では、マット本体は単一の袋体により構成されているが、本発明はこれに限定されない。したがって、たとえば、図４に示すように、マット本体１２は、複数の袋体１２ａ，１２ｂにより構成され、隣接する袋体１２ａ，１２ｂ同士が互いに干渉し合わずに、独立して膨張または収縮するものとしてもよい。すなわち、各袋体１２ａ，１２ｂの間は空気等の流体が連通せず、それぞれ独立して流体の導入、排出用のノズル１４を有している。
これによって、マット本体１２の各袋体１２ａ，１２ｂは別々に膨張・収縮させることが可能になり、被介護者は、たとえば腰部を左右何れか一方だけ上下させるというように、部位ごとに別々にマットの高さを設定したい場合に、マット本体１２を区分して別々に調節することによって好適に用いることができる。しかも、一個あたりの袋体の大きさが小さいものとなり、一つの袋体に対して空気などを充填する作業が容易になる。
【００２２】
マット本体を複数の袋体から構成した場合、図５に示すように、複数の袋体２２ａ，２２ｂ，２２ｃを高さ方向に積層したマット本体２２によって介護用マット２１を構成するようにしてもよい。すなわち、本実施形態は、互いに独立した袋体２２ａ，２２ｂ，２２ｃを上下に多段に重ねたものである。
これによって、一個あたりの袋体の大きさが小さくなり、袋体に対して空気などを充填する作業を容易に行なうことができると共に、介護用マット２１の上面の高さ位置を多段的に任意の高さに調整することができる。
【００２３】
本発明の介護用マットは、上記実施形態のように平面棒状体としたものに限らず、図６に示すように、平面Ｕ字形に構成された介護用マット３１としてもよい。図では、平面棒状体としたマット本体を構成する袋体３２ａ，３２ｂ，３２ｃを三つ組み合わせて平面Ｕ字形に構成された介護用マット３１としている。これら袋体３２ａ，３２ｂ，３２ｃは、互いに独立して膨張または収縮するものである。なお、介護用マットを平面Ｕ字形に構成する場合、上述のように平面棒状体としたマット本体を三つ組み合わせるようにすることに限定されず、一体的に一つの袋体で平面Ｕ字形に構成したり、Ｌ字状又はノ字状をした袋体を鏡像的に合わせて構成したりするようにしてもよい。
【００２４】
これによって、二本の平面棒状をした介護用マットを平行に配置した場合のように、互いの介護用マットが位置ずれしてしまう虞が無く、保形基板によって所定形状を維持し、一部に開口部を有すると共に周囲が前記袋体３２ａ，３２ｂ，３２ｃで囲まれた空間部３０を形成される。したがって、この空間部３０に手や介護用品を挿入することで、介護行為の負担を軽減し、介護行為を簡単かつ確実に手際よく行うことが出来る。
図６に示すように、平面棒状体としたマット本体を三つ組み合わせた場合、真ん中の袋体３２ｂのエアを排気し、扁平の平面状態に収縮することで、前記開口部とは逆側にも新たな開口部を形成し、介護行為を一層行ない易くすることもできる。
【図面の簡単な説明】
【００２５】
【図１】本発明の第一の実施形態に係る介護用マットの（Ａ）第一状態を示す斜視図、（Ｂ）第二状態を示す斜視図である。
【図２】本発明に係る介護用マットにエアを供給する状態を示す斜視図である。
【図３】本発明の第二の実施形態に係る介護用マットを示す縦断面図である。
【図４】本発明に係る介護用マットの第三の実施形態を示す縦断面図である。
【図５】本発明に係る介護用マットの第四の実施形態を示す縦断面図である。
【図６】上記介護用マットの使用方法を説明する（Ａ）使用前または使用後の形態を示す概略側面図、（Ｂ）使用中の形態を示す概略側面図である。
【符号の説明】
【００２６】
Ｍ    被介護者
Ｐ    エア供給装置
１    介護用マット
２    マット本体
２ａ  袋体
３    保形基板
４    ノズル
５    収容部
１０  空間部
５０  寝床部
【図１】
2007029414.tif 000003
【図２】
2007029414.tif 000004
【図３】
2007029414.tif 000005
【図４】
2007029414.tif 000006
【図５】
2007029414.tif 000007
【図６】
2007029414.tif 000008